(57)【要約】【課題】片手で装置本体を抱えた状態における操作が容易である非破壊検査装置を提供する。【解決手段】装置本体２の前面の一方の端部側に掌押さえ面となる右側面２０が形成されると共に、他方の端部側に上腕押さえ面となる左側面が形成され、装置本体２の一端に検査対象を検査するプローブが接続され、装置本体２の前面に主操作部が設けられると共に、右側面２０に右側面操作部２２が設けられていることを特徴とする。また、右側面２０に右側把持壁部２１が突出して設けられていることを特徴とする。【選択図】      図２
2004354219.tif 000002
【特許請求の範囲】
【請求項１】
一方の側面に掌を当接させる掌押さえ面が形成され、片手で保持可能な装置本体と、
該装置本体に接続された検査対象を検査するプローブとを備え、
前記装置本体の前面に主操作部が設けられると共に、前記掌押さえ面に前記片手の指で操作可能な副操作部が設けられていることを特徴とする非破壊検査装置。
【請求項２】
請求項１に記載の非破壊検査装置において、
前記掌押さえ面に前記片手の指をかけることができる突起部が突出して設けられていることを特徴とする非破壊検査装置。
【請求項３】
請求項１又は２に記載の非破壊検査装置において、
前記装置本体の他方の側面にも前記掌押さえ面が形成されていることを特徴とする非破壊検査装置。
【請求項４】
請求項１から３のいずれか１項に記載の非破壊検査装置において、
前記副操作部が、操作内容の設定を任意に変更可能であることを特徴とする非破壊検査装置。
【請求項５】
請求項１から４のいずれか１項に記載の非破壊検査装置において、
前記装置本体を抱えた前記片手を保持するストラップが設けられていることを特徴とする非破壊検査装置。
【発明の詳細な説明】
【０００１】
【発明の属する技術分野】
本発明は、超音波探傷装置及び渦流探傷装置等の非破壊検査装置に関する。
【０００２】
【従来の技術】
周知のように、構造物等を切断したり、加工したり、分解することなく、当該構造物の内部の欠陥や内部構造等を検査する方法として、例えば、超音波のエコーを測定し、測定結果を基に構造物内部の欠陥を特定する超音波探傷装置や、構造物内に誘導される渦電流によって生ずる電磁波の変化を基に構造物表面の欠陥を特定する渦流探傷装置のような非破壊検査装置を用いた検査方法がある。
【０００３】
近年、高度な検査を行うために、例えば、超音波探傷装置におけるフェイズドアレイ技術や、渦流探傷装置におけるマルチコイル技術のような、高度な検査機能を有する非破壊検査装置が開発されている。
この高度な検査機能を有する非破壊検査装置は、装置本体を台等に設置するか、首から下げた状態で保持して検査を行っている（特許文献１から３参照。）。
【０００４】
【特許文献１】
米国特許５，５１１，４２５号明細書
【特許文献２】
実公平６−９６１２号公報  （第３頁、第１図）
【特許文献３】
特開平８−９４３４４号公報  （第１４頁、第２図）
【０００５】
【発明が解決しようとする課題】
しかしながら、上記従来の非破壊検査装置では、据え置き型又は首から下げるタイプであるため、片手で本体を保持しながら用いるようには設計されていない。このため、これらの装置本体を片手で持ちながら装置前面の操作ボタンを操作しようとすると、もう一方の手でプローブを保持しているため、前記プローブを持った手で前記操作ボタンを操作するか、前記装置本体を地面等に設置してから前記操作ボタンを操作することになり、容易に操作できないという不都合があった。
【０００６】
本発明は、これらの事情を鑑みてなされたものであり、装置本体を片手に持った状態における操作が容易である非破壊検査装置を提供することを目的としている。
【０００７】
【課題を解決するための手段】
本発明は、上記課題を解決するために、以下の構成を採用した。すなわち、一方の側面に掌を当接させる掌押さえ面が形成され、片手で保持可能な装置本体と、該装置本体に接続された検査対象を検査するプローブとを備え、前記装置本体の前面に主操作部が設けられると共に、前記掌押さえ面に前記片手の指で操作可能な副操作部が設けられていることを特徴とする。
【０００８】
前記非破壊検査装置を用いて検査をする際に、検査者は、一方の手の掌を前記掌押さえ面に当接させると共に、例えば、前腕を前記装置本体の背面に当接させ、上腕を前記装置本体の他方の側面に当接させて片手で保持して、他方の手で前記プローブを保持する。
この発明によれば、この場合、該装置本体を抱えた方の手の指で該装置本体の前記掌押さえ面に設けられた前記副操作部を操作することによって、前記非破壊検査装置の機能を制御することが可能となる。したがって、片手で装置本体を持った場合でも、非破壊検査装置を容易に操作することができ、検査者の疲労負担が低減する。
【０００９】
また、本発明に係る非破壊検査装置は、前記掌押さえ面に前記片手の指をかけることができる突起部が突出して設けられていることを特徴とする。
この発明によれば、検査者が前記装置本体を片手に抱えて保持した際、指を前記掌押さえ面に設けられた前記突起部にかけることによって、前記装置本体を確実に保持できる。
【００１０】
また、本発明に係る非破壊検査装置は前記装置本体の他方の側面にも前記掌押さえ面が形成されていることを特徴とする。
この発明によれば、検査者が前記装置本体を左右どちらの手で保持しても、前記副操作部を操作することができる。したがって、検査者が右利きであるか左利きであるかに関わらず、同様の操作性が得られる。
【００１１】
また、本発明に係る非破壊検査装置は、前前記副操作部が、操作内容の設定を任意に変更可能であることを特徴とする。
この発明によれば、検査者が適宜前記機能設定ボタンの操作内容を設定することによって、検査者が前記副操作部に所望の機能割り付けを行うことができる。
すなわち、前記装置本体を片手で抱えながら前記副操作部を操作するため、該副操作部の各ボタン位置により、手の大きさ、長さが異なる検査者毎に押し易さが異なる。しかし、本発明では、各検査者が押し易い位置の副操作部に必要な機能を割り付けることができるので、検査者の手の大きさ等によらず高い操作性を得ることが可能となり、検査者の疲労負担を低減することができる。また、前記副操作部の配置スペースが小さく多くのボタンを配置することができない場合においても、検査者が操作頻度の高い機能を選び該副操作部の操作機能を設定することが可能となり、検査者の疲労負担を低減することが可能となる。
【００１２】
また、本発明に係る非破壊検査装置は、前記装置本体を抱えた前記片手を保持するストラップが設けられていることを特徴とする。
この発明によれば、検査者が前記装置本体を抱える手を前記ストラップに通して保持することによって、前記装置本体をより持ち易くでき、更に、検査者の疲労負担を低減することが可能となる。
【００１３】
【発明の実施の形態】
以下、本発明に係る非破壊検査装置の一実施形態について、図１から図４を参照しながら説明する。
なお、ここで説明する実施形態は、超音波探傷装置に適用したものである。
図１に示すように、超音波探傷装置１は、内部に超音波探傷検査を行うための各種電子部品及び記憶装置（図示略）等を備えた装置本体２と、装置本体２の一端にケーブルＣを介して接続され溶接部等の測定対象を測定するプローブ３とを備えており、片手で装置本体２を保持可能な可搬型のハンディタイプである。
【００１４】
装置本体２は、外観をほぼ直方体形状に形成されたものであり、装置本体２の前面１０には、表示部１１と、装置本体２を操作する複数のボタンからなる主操作部１２とが設けられている。
また、装置本体２の上部左右には、プローブ３から発信される超音波パルスの周波数等の設定値を変更する機能を有する右側ダイヤル１３Ａ及び左側ダイヤル１３Ｂが備えられている。また、装置本体２の右端部には、右側ダイヤル１３Ａの右側面を覆うように配された右側ダイヤルカバー１４Ａが設けられていると共に、装置本体２の左端部には、左側ダイヤル１３Ｂの左側面を覆うように配された左側ダイヤルカバー１４Ｂが設けられている。
また、装置本体２の下面には、左右全幅にわたって帯状の突出部１５が設けられており、突出部１５の背面側に、突条形状である脚部１６が設けられている。
【００１５】
また、図２に示すように、装置本体２の右側面２０には、ほぼ中央に上下にわたって突条形状の右側把持壁部（突起部）２１が設けられており、右側把持壁部２１の近傍で、装置本体２の前面側には、複数のボタンからなる右側面操作部（副操作部）２２が備えられている。ここで、右側面２０は、装置本体２を左手で保持する際に、掌に当接される掌押さえ面を構成している。また、右側面操作部２２は、この掌の指で操作可能な配置とされている。
【００１６】
また、図３に示すように、装置本体２の左側面３０には、右側面２０と同様に、左側把持壁部３１と、複数のボタンからなる左側面操作部（副操作部）３２とが設けられている。ここで、左側面３０は、装置本体２を右手で保持する際に、掌に当接される掌押さえ面を構成している。また、左側面操作部３２は、この掌の指で操作可能な配置とされている。
また、図４に示すように、装置本体２の上面４０には、その両端にストラップ取り付け穴４１Ａ、４１Ｂが形成され、同様に装置本体２の下面にもストラップ取り付け穴（図示略）が形成されており、上面４０から装置下面にかけてストラップ４２Ａ及び４２Ｂが設けられている。
【００１７】
また、プローブ３は、測定対象に接触させる面に超音波を発信する発信用探触子（図示略。）及び、測定対象で反射した超音波を受信する受信用探触子（図示略。）を備えている。
また、表示部１１は、例えば液晶等のモニタ４３と、モニタカバー４４とによって構成されている。
モニタカバー４４は、中央が凸状である曲面形状であり、透光性材料で形成され、モニタ４３表面を覆うように配されている。
【００１８】
主操作部１２は、表示部１１に表示されるメニューの階層を変更する等の機能を有するソフトボタン部５１と、検査者によって適宜操作内容を設定することが可能な主操作部側ダイレクトボタン部５２とによって構成されている。ここで設定可能な操作内容として、表示部１１に表示される測定結果の更新を一時的に停止するフリーズ機能や、測定結果を装置本体２の記憶装置に記録させるストア機能や、表示部１１に表示される測定結果のレンジを変更するｄＢスイッチ（デシベルスイッチ）機能等がある。
【００１９】
また、右側面操作部２２は、上述と同様に、適宜操作内容を設定可能な右側面ダイレクトボタン５３Ａ、５３Ｂ、及び５３Ｃを有している。
また、左側面操作部３２も上述と同様に、左側面ダイレクトボタン５４Ａ、５４Ｂ、及び５４Ｃを有している。
【００２０】
また、右側ダイヤル１３Ａ、及び左側ダイヤル１３Ｂは、ロータリーエンコーダを内蔵しており、このロータリーエンコーダからの信号によりアンプのゲインや各種設定値が変更されるようになっている。なお、これらダイヤルの機能は、任意に割り付け可能となっている。したがって、右側ダイヤル１３Ａ、及び左側ダイヤル１３Ｂの機能を任意に設定可能であるので、右利き、左利きのいずれにおいても、適切な操作性を得ることができる。
【００２１】
上記の構成からなる超音波探傷装置１を用いた、例えば溶接部等の測定対象の測定方法について説明する。なお、本実施形態においては、装置本体２を左手で抱え、右手でプローブ３を保持することとする。
先ず、主操作部１２の所定操作を行うことにより電源を投入する。次に、ソフトボタン部５１を所定の操作をすることにより、主操作部側ダイレクトボタン部５２と、右側面ダイレクトボタン５３Ａ、５３Ｂ、及び５３Ｃと、左側面ダイレクトボタン５４Ａ、５４Ｂ、及び５４Ｃとに、適宜操作内容を設定する。
このとき、右側面ダイレクトボタン５３Ａにフリーズ機能を、右側面ダイレクトボタン５３ＢにｄＢスイッチ機能を、右側面ダイレクトボタン５３Ｃにストア機能を設定したこととする。
また、左側面操作部３２に誤って検査者の左腕が接触することによって生じる誤操作を防止するため、左側面ダイレクトボタン５４Ａ、５４Ｂ、及び５４Ｃの機能を停止するように設定する。
【００２２】
次に、検査者の左手で装置本体２を保持する。このとき、図２及び図５に示すように、左手の上腕を左側面３０に当接し、前腕を装置本体２の背面に当接し、掌を右側面２０に当接させる。このとき、左手をストラップ４２Ａに通し、右側把持壁部２１に左手の指をかける。そして、検査者の右手でプローブ３を持ち、プローブ３を測定対象に接触させる。
プローブ３は、送信用探触子から測定対象に対して超音波パルスを発信し、反射波を受信用探触子で受信する。このときの測定結果が、表示部１１に表示される。また、送信用探触子からは一定時間間隔で超音波パルスが発信されているため、一定時間間隔で更新された測定結果が表示部１１に表示される。
【００２３】
このとき、検査者は、左手の指で右側面ダイレクトボタン５３Ａを押下することにより、一時的に表示部１１に表示される測定結果の更新を停止し、測定結果を検証することが可能となる。また、右側面ダイレクトボタン５３Ｂを押下することにより、表示部１１に表示される測定結果のレンジを変更し、測定結果を適宜検証することが可能となる。また、右側面ダイレクトボタン５３Ｃを押下することにより、得られた測定結果を保存することが可能となる。
【００２４】
また、プローブ３の受信用探触子で受信される超音波の受信感度等の設定値を変更する際は、主操作部１２、右側ダイヤル１３Ａ、及び左側ダイヤル１３Ｂを適宜操作することにより、所望の設定値とする。
【００２５】
このように、本実施形態に係る超音波探傷装置１は、装置本体２の右側面に右側面操作部２２が設けられていることによって、検査者が左手で装置本体２を保持した際に、装置本体２を保持した左手の指で右側面操作部２２を操作することによって、プローブ３を持つ右手を用いなくても超音波探傷装置１を容易に操作することが可能となる。
【００２６】
また、右側把持壁部２１が設けられていることによって、装置本体２を保持している左手の指を右側把持壁部２１にかけることができ、装置本体２を確実に保持することができる。したがって、検査者の疲労負担を低減することが可能となる。
また、ストラップ４２Ａ及び４２Ｂが設けられていることによって、装置本体２を保持している左手をストラップ４２Ａ及び４２Ｂに通すことにより、装置本体２の保持が更に容易となる。
【００２７】
また、右側面操作部２２が、操作内容の設定を任意に変更可能である右側面ダイレクトボタン５３Ａ、５３Ｂ、及び５３Ｃを備えていることによって、検査者が押し易い位置の右側面操作部２２に必要な機能割り付けることができるので、検査者の手の大きさ等によらず高い操作性を得ることが可能となり、検査者の疲労負担を低減することができる。
【００２８】
また、右側ダイヤルカバー１４Ａ及び、左側ダイヤルカバー１４Ｂが設けられていることによって、装置本体２を突起物等に衝突させた際、右側ダイヤル１３Ａ及び、左側ダイヤル１３Ｂの破損を防止することが可能となり、修理頻度等も減らすことができる。
また、モニタ４３の表面に曲面形状であるモニタカバー４４が設けられていることによって、日光や照明の反射を抑制することが可能となり、モニタ４３を外使用用の設定に変更する手間を省くことができる。
【００２９】
なお、本発明は、上記実施形態に限定されるものではなく、本発明の趣旨を逸脱しない範囲において種々の変更を加えることが可能である。
例えば、上記実施形態では、非破壊検査装置として超音波探傷装置１を用いたが、渦流探傷装置としてもよい。
【００３０】
また、上記実施形態では、左手で装置本体２を保持したが、右手で保持してもよい。ここで、上述と同様に、右手の上腕を右側面２０に当接し、前腕を装置本体２の背面に当接し、掌を左側面３０に当接させる。また、４２Ｂに右手を通し、右手の指を左側把持壁部３１にかけて装置本体２を保持し、左側面操作部３２を操作する。
このとき、左側面３０にも右側面２０と同様に、左側面操作部３２が設けられていることによって、装置本体２を右手で保持した場合においても、上述と同様に、左側面操作部３２を右手の指で操作することによって超音波探傷装置１を操作することができる。
【００３１】
また、装置本体２を台等に設置して計測を行ってもよい。ここで、例えば、図６に示すように、人差し指、中指、及び薬指を突出部１５にかけて親指で装置本体２の前面下部の主操作部１２を押して操作する。
このとき、突出部１５が設けられていることによって、装置本体２が台上を滑る事がなく、安定して前面下部の主操作部１２を操作できると共に、操作時に表示部１１を隠さずボタンを押すことができる。また、主操作部１２に、任意の操作内容を設定することが可能である主操作部側ダイレクトボタン１２が設けられている。
【００３２】
また、主操作部１２又は右側ダイヤル１３を操作する際は、図７に示すように、指を右側把持壁部２１にかけて主操作部１２又は、右側ダイヤル１３Ａを操作する。
このとき、右側把持壁部２１が設けられていることによって、装置本体２が台上を滑る事がなく、安定して主操作部１２又は右側ダイヤル１３を操作できる。
【００３３】
また、上記実施形態では、右側面２０に右側面ダイレクトボタン５３Ａ、５３Ｂ、及び５３Ｃと３箇所設けたが、装置本体２を保持した手の指で操作可能な設置箇所であれば、それ以上の箇所に設けてもよい。また、２箇所以下であってもよい。
また、上記実施形態では、右側ダイヤル１３Ａ及び、左側ダイヤル１３Ｂを装置本体２の前面両側に設けたが、装置本体２の側面に設けてもよい。このように装置本体２を抱えた手で側面に設けられたダイヤルを操作することによって、超音波探傷装置１の操作性を向上させることが可能となる。
また、各ダイレクトボタンの割り付け設定は、各側面又は主操作部単位で記憶可能とされていてもよく、この場合、各検査者毎の設定を読み出して設定すれば、容易に同じ設定を再設定することができる。
【００３４】
【発明の効果】
以上説明したように、この発明に係る非破壊検査装置によれば、検査者が片手に抱えて保持することが可能な装置本体の掌押さえ面に、副操作部が設けられているため、装置本体を保持した手の指で副操作部を操作できるため、容易に非破壊検査装置の機能制御を行うことが可能である。したがって、片手で装置本体を保持して検査を行う際でも、プローブを持つもう一方の手で操作を行わなくても操作が可能となり、長時間の使用でも検査者の疲労負担を低減することが可能となる。
【図面の簡単な説明】
【図１】本発明の一実施形態に係る超音波探傷装置の正面図である。
【図２】本発明の一実施形態に係る超音波探傷装置の右側面図である。
【図３】本発明の一実施形態に係る超音波探傷装置の左側面図である。
【図４】本発明の一実施形態に係る超音波探傷装置の平面図である。
【図５】本発明の一実施形態に係る超音波探傷装置を左手で保持した際の上面概略図である。
【図６】本発明の一実施形態に係る超音波探傷装置を台等に設置し、突出部に指をかけて主操作部を操作する際の正面図である。
【図７】本発明の一実施形態に係る超音波探傷装置を台等に設置し、右側把持壁に指をかけて主操作部を操作する際の平面図である。
【符号の説明】
１：超音波探傷装置（非破壊検査装置）
２：装置本体
３：プローブ
１２：主操作部
２０：右側面（掌押さえ面）
２１：右側把持壁（突起部）
２２：右側面操作部（副操作部）
３０：左側面（掌押さえ面）
３１：左側把持壁（突起部）
３２：左側面操作部（副操作部）
４２Ａ、４２Ｂ：ストラップ
【図１】
2004354219.tif 000003
【図２】
2004354219.tif 000004
【図３】
2004354219.tif 000005
【図４】
2004354219.tif 000006
【図５】
2004354219.tif 000007
【図６】
2004354219.tif 000008
【図７】
2004354219.tif 000009